【事件の表示】
　特願２０１４−１１７５３０「入力支援装置、入力支援方法、及び、プログラム」拒絶査定不服審判事件〔平成２６年　９月１１日出願公開、特開２０１４−１６７８２９〕について、次のとおり審決する。
【結　論】
　本件審判の請求は、成り立たない。
【理　由】
第１ 手続の経緯
　本願は，平成２２年４月１５日に出願した特願２０１０−９３９９２号の一部を平成２６年６月６日に新たな特許出願としたものであって，平成２７年５月１５日付けで特許法第５０条の２の通知を伴う拒絶の理由が通知され，これに対して，平成２７年８月４日に意見書及び手続補正書が提出されたが，当該手続補正書が平成２７年１２月１８日付けで却下されるとともに同日付で拒絶査定がなされ，同査定の謄本は同年１２月２２日に請求人に送達された。これに対して，平成２８年３月１５日に拒絶査定不服審判の請求がなされると共に同日付けで手続補正書が提出され，平成２８年５月１８日付けで前置報告書が作成されたものである。
第２ 平成２８年３月１５日にされた手続補正についての補正の却下の決定
［補正の却下の決定の結論］
平成２８年３月１５日にされた手続補正（以下，「本件補正」という。）を却下する。
［理由］
１． 本件補正について
（１）本件補正により，特許請求の範囲は，次のとおり補正された（下線部は補正箇所である。）。
「【請求項１】
　入力文字列に対応した候補文字列のリストを表す変換候補テーブルを表情毎に記憶する記憶部と，
　
使用者の顔を撮像する撮像部と，
　
前記撮像部により撮像された前記使用者の顔の画像から前記
　前記記憶部から前記判定部による表情の判定結果に対応した前記変換候補テーブルを選択し，選択した前記変換候補テーブルから入力文字列に対応した候補文字列のリストを取得して表示させる変換候補選択部と，
　を備え
，
　
前記変換候補選択部は，該入力文字列が未確定文字列のときは該入力文字列の変換候補である前記候補文字列を表示し，該入力文字列が入力確定文字列のときは次入力候補の文字列である前記候補文字列を表示し，
　前記撮像部は，該入力文字列を入力する前の文字入力モードに遷移したタイミングで前記使用者の顔を撮像し，該入力文字列が，未確定文字列から前記候補文字列より選択され，入力確定文字列となったタイミングで前記使用者の顔を撮像し，更に，次入力候補の文字列である前記候補文字列より選択され，次入力文字列として確定されたタイミングで前記使用者の顔を撮像する，
　ことを特徴とする入力支援装置。
　　【請求項２】
　前記変換候補テーブルは，前記候補文字列の表示順の情報をさらに含み，
　前記変換候補選択部は，選択した前記変換候補テーブルからさらに前記候補文字列の表示順を取得し，取得した前記表示順に従って前記候補文字列を表示させる，
　ことを特徴とする請求項１に記載の入力支援装置。
　　【請求項３】
　前記記憶部は，前記変換候補テーブルを時間帯毎に記憶し，
　変換候補選択部は，現在の時間に対応した前記変換候補テーブルを選択する，
　ことを特徴とする請求項１または請求項２に記載の入力支援装置。
　　【請求項４】
　携帯電話装置であることを特徴とする請求項１から請求項３のいずれか１項に記載の入力支援装置。
　　【請求項５】
　入力文字列に対応した候補文字列のリストを表す変換候補テーブルを表情毎に記憶する記憶部を備えた入力支援装置に用いられる入力支援方法であって，
　
撮像部が，使用者の顔を撮像する撮像過程と
　判断部が，
前記撮像部により撮像された前記使用者の顔の画像から前記
　変換候補選択部が，前記記憶部から前記判定過程における表情の判定結果に対応した前記変換候補テーブルを選択し，選択した前記変換候補テーブルから入力文字列に対応した候補文字列のリストを取得して表示させる変換候補選択過程と，
　を有
し，
　
前記変換候補選択部は，該入力文字列が未確定文字列のときは該入力文字列の変換候補である前記候補文字列を表示し，該入力文字列が入力確定文字列のときは次入力候補の文字列である前記候補文字列を表示し，
　前記撮像部は，該入力文字列を入力する前の文字入力モードに遷移したタイミングで前記使用者の顔を撮像し，該入力文字列が，未確定文字列から前記候補文字列より選択され，入力確定文字列となったタイミングで前記使用者の顔を撮像し，更に，次入力候補の文字列である前記候補文字列より選択され，次入力文字列として確定されたタイミングで前記使用者の顔を撮像する，
ことを特徴とする入力支援方法。
　　【請求項６】
　入力支援装置として用いられるコンピュータを，
　入力文字列に対応した候補文字列のリストを表す変換候補テーブルを表情毎に記憶する記憶部，
　
使用者の顔を撮像する撮像部，
　前記撮像部により撮像された前記使用者の顔の画像から前記
　前記記憶部から前記判定部による表情の判定結果に対応した前記変換候補テーブルを選択し，選択した前記変換候補テーブルから入力文字列に対応した候補文字列のリストを取得して表示させる変換候補選択部，
　として機能させ
，
　
前記変換候補選択部は，該入力文字列が未確定文字列のときは該入力文字列の変換候補である前記候補文字列を表示し，該入力文字列が入力確定文字列のときは次入力候補の文字列である前記候補文字列を表示し，
　前記撮像部は，該入力文字列を入力する前の文字入力モードに遷移したタイミングで使用者の顔を撮像し，該入力文字列が，未確定文字列から前記候補文字列より選択され，入力確定文字列となったタイミングで使用者の顔を撮像し，更に，次入力候補の文字列である前記候補文字列より選択され，次入力文字列として確定されたタイミングで使用者の顔を撮像する，
　ことを特徴とするプログラム。」
（２）本件補正前の，出願当初の特許請求の範囲の記載は次のとおりである。
「【請求項１】
　入力文字列に対応した候補文字列のリストを表す変換候補テーブルを表情毎に記憶する記憶部と，
　使用者の表情を判定する判定部と，
　前記記憶部から前記判定部による表情の判定結果に対応した前記変換候補テーブルを選択し，選択した前記変換候補テーブルから入力文字列に対応した候補文字列のリストを取得して表示させる変換候補選択部と，
　を備えることを特徴とする入力支援装置。
【請求項２】
　前記変換候補テーブルは，前記候補文字列の表示順の情報をさらに含み，
　前記変換候補選択部は，選択した前記変換候補テーブルからさらに前記候補文字列の表示順を取得し，取得した前記表示順に従って前記候補文字列を表示させる，
　ことを特徴とする請求項１に記載の入力支援装置。
【請求項３】
　使用者の顔を撮像する撮像部をさらに備え，
　前記判定部は，前記撮像部が撮像した画像から表情を判定する，
　ことを特徴とする請求項１または請求項２に記載の入力支援装置。
【請求項４】
　前記記憶部は，前記変換候補テーブルを時間帯毎に記憶し，
　変換候補選択部は，現在の時間に対応した前記変換候補テーブルを選択する，
　ことを特徴とする請求項１または請求項２に記載の入力支援装置。
【請求項５】
　携帯電話装置であることを特徴とする請求項１から請求項４のいずれか１項に記載の入力支援装置。
【請求項６】
　入力文字列に対応した候補文字列のリストを表す変換候補テーブルを表情毎に記憶する記憶部を備えた入力支援装置に用いられる入力支援方法であって，
　判断部が，使用者の表情を判定する判定過程と，
　変換候補選択部が，前記記憶部から前記判定過程における表情の判定結果に対応した前記変換候補テーブルを選択し，選択した前記変換候補テーブルから入力文字列に対応した候補文字列のリストを取得して表示させる変換候補選択過程と，
　を有することを特徴とする入力支援方法。
【請求項７】
　入力支援装置として用いられるコンピュータを，
　入力文字列に対応した候補文字列のリストを表す変換候補テーブルを表情毎に記憶する記憶部，
　使用者の表情を判定する判定部，
　前記記憶部から前記判定部による表情の判定結果に対応した前記変換候補テーブルを選択し，選択した前記変換候補テーブルから入力文字列に対応した候補文字列のリストを取得して表示させる変換候補選択部，
　として機能させることを特徴とするプログラム。」
　
２．新規事項について
　本件補正前の請求項１を本件補正前の請求項３の内容で限定し，さらに，本件補正前の請求項３の「撮像部」という発明特定事項について「前記撮像部は，該入力文字列を入力する前の文字入力モードに遷移したタイミングで使用者の顔を撮像し，該入力文字列が，未確定文字列から前記候補文字列より選択され，入力確定文字列となったタイミングで使用者の顔を撮像し，更に，次入力候補の文字列である前記候補文字列より選択され，次入力文字列として確定されたタイミングで使用者の顔を撮像する，」と補正している。
　この補正は，図５および図６，ならびに，明細書の段落００３１「なお，変換候補選択部１７は，図５において選択された次入力候補文字列，あるいは，図６において選択された変換候補文字列を入力確定文字列として，図５の処理を繰り返す。あるいは，使用者がキー入力部２により文字列を入力した場合，この入力した文字列を未確定文字列として図６の処理を繰り返す。」という記載を根拠として行われた。
　しかし，「撮像部」が「該入力文字列を入力する前の文字入力モードに遷移したタイミングで使用者の顔を撮像」することは，明細書の段落００１７や００３３に記載されているものの，「該入力文字列が，未確定文字列から前記候補文字列より選択され，入力確定文字列となったタイミングで使用者の顔を撮像し」たり，「次入力候補の文字列である前記候補文字列より選択され，次入力文字列として確定されたタイミングで使用者の顔を撮像する」ことについては，本願の願書に最初に添付した明細書，特許請求の範囲または図面に何ら記載も示唆も無い。
　明細書の段落００１１〜００１３および００１７〜００３３には以下のように記載されている（下線は当審で付加した。）。
「【００１１】
　以下，図面を参照して本発明の一実施の形態を説明する。
　図１は，本発明の一実施形態による入力支援装置１０の構成を示すブロック図である。同図に示すように，入力支援装置１０は，記憶部１１，入力部１２，制御部１３，撮像部１４，判定部１５，表情記憶部１６，変換候補選択部１７，及び，表示部１８を備えて構成される。
【００１２】
　記憶部１１は，表情に対応した変換候補テーブル８を記憶する。変換候補テーブル８は，入力文字列と，候補文字列のリストとの対応付けを表すデータである。候補文字列のリストには，１または複数の候補文字列と，各候補文字列の表示順とが示されており，対応している表情に応じて，候補文字列のリストに含まれる候補文字列と，その表示順が異なる。リストに記述されている候補文字列の順番を表示順としてもよい。また，候補文字列は共通とし，表示順のみ変えてもよい。入力文字列には，未確定文字列，あるいは，入力確定文字列があり，入力文字列が未確定文字列の場合，候補文字列は変換候補の文字列であり，入力文字列が入力確定された文字列の場合，候補文字列は次入力候補の文字列である。なお，本実施形態において，文字列は，１文字のみからなる場合も含む。
【００１３】
　制御部１３は，各機能部の制御を行なう。入力部１２は，キーやボタンなどのユーザインタフェースであり，使用者の操作による情報の入力を受ける。撮像部１４は，例えば，カメラであり，使用者の顔を撮像する。判定部１５は，撮像部１４が撮像した顔の画像のデータから，使用者の表情を判定し，判定結果を表情記憶部１６に書き込む。なお，顔の画像データに基づいた表情の判定には，既存技術を用いることができる。表情記憶部１６は，判定部１５により書き込まれた表情の判定結果を記憶する。
変換候補選択部１７は，表情記憶部１６から読み出した表情の判定結果に従って変換候補テーブル８を選択し，選択した変換候補テーブル８から，入力部１２により入力された未確定文字列に対応した変換候補文字列とその表示順，あるいは，入力部１２により入力確定された文字列に対応した次入力候補文字列その表示順を読み出し，読み出した候補文字列の一覧を表示順に表示部１８に表示させる。
「【００１７】
　次に，図３及び図４を用いて，図２に示す携帯電話装置１の処理について説明する。
　図３は，文字入力モード遷移処理の処理フローである。
　使用者が，図２に示す携帯電話装置１のキー入力部２により，メール作成やメモ作成などのアプリケーションの起動指示を入力すると，文字入力モードへの遷移が行われる。するとまず，制御部１３は，カメラ部３を起動し，使用者の顔の撮影を指示する。
カメラ部３は，使用者の顔を撮影すると，撮影された画像データを判定部１５に出力する（ステップＳ１１０）。判定部１５は，受信した画像データから使用者の表情を判定し（ステップＳ１２０），判定した表情を表すパラメータ“表情”を表情記憶部１６に書き込む（ステップＳ１３０）
　【００１８】
　図４は，辞書選択処理の処理フローである。
　図３に示す文字入力モード遷移処理の後，使用者がキー入力部２により文字入力を行うと，
変換候補選択部１７は，表情記憶部１６に書き込まれているパラメータ“表情”を取得し，パラメータ“表情”が「笑い」を示している場合は（ステップＳ２１０：ＹＥＳ），変換候補テーブル８−１を選択し（ステップＳ２２０），「怒り」を示している場合は（ステップＳ２１０：ＮＯ，ステップＳ２３０：ＹＥＳ），変換候補テーブル８−２を選択し（ステップＳ２４０），「笑い」及び「怒り」のいずれにも該当しない場合は（ステップＳ２１０：ＮＯ，ステップＳ２３０：ＮＯ），変換候補テーブル８−３を選択する（ステップＳ２５０）
　【００１９】
　変換候補選択部１７は，未確定文字列に対応した変換候補文字列及びその表示順，あるいは，入力確定文字列に対応した次入力候補文字列及びその表示順を，図４の辞書選択処理によって選択した変換候補テーブル８−ｎ（ｎは１，２，または３）から読み出し，候補選択フィールド部６に表示する。
　【００２０】
　図５は，入力確定文字列に対応して次入力候補文字列を表示する場合の例を示す。
　同図に示すように，入力フィールド部５には，使用者が入力確定した文字列「久しぶり」が表示されている。
　【００２１】
　使用者が入力確定した「久しぶり」の文字列に対して，
文字入力時の表情が「笑い」であれば
　【００２２】
　
同様に「怒り」であれば
　【００２３】
　また，「その他」に対応した変換候補テーブル８−３には，入力確定文字列「久しぶり」に対応して，表示順に次入力候補文字列「です」，「に」，「の」，…が記述されており，この表示順に従って候補選択フィールド部６に入力確定文字列が表示される。
　【００２４】
　使用者が，カーソルキー部７によって，候補選択フィールド部６に表示されている次入力候補文字列を選択し，確定を入力すると，変換候補選択部１７は，選択された次入力候補文字列を入力フィールド部５の「久しぶり」の後に表示させる。
　【００２５】
　図６は，未確定文字列に対応して変換候補文字列を表示する場合の例を示す。
　同図に示すように，入力フィールド部５には，使用者がキー入力部２により入力した未確定文字列「いらい」が表示されている。
　【００２６】
　未確定文字列「いらい」の文字列に対して，
文字入力時の表情が「笑い」であれば
　【００２７】
　同様に，未確定文字列「いらい」の文字列に対して，
文字入力時の表情が「怒り」であれば
　【００２８】
　また，「その他」に対応した変換候補テーブル８−３には，未確定文字列「いらい」に対応して，表示順に変換候補文字列「依頼」，「以来」，…が記述されており，この表示順に従って候補選択フィールド部６に変換候補文字列が表示される。
　【００２９】
　使用者が，カーソルキー部７によって，候補選択フィールド部６に表示されている変換候補文字列を選択し，確定を入力すると，変換候補選択部１７は，入力フィールド部５に表示されている未確定文字列を削除し，選択された変換候補文字列を入力フィールド部５に表示させる。
　【００３０】
　上記のように，図５に示す次入力候補文字列の表示と同様に，パラメータ“表情”に応じて，変換候補文字列の配置を切り替えることにより，少ないキー操作で，状況に適した候補文字列を選択することが可能となる。
　【００３１】
　なお，
変換候補選択部１７は，図５において選択された次入力候補文字列，あるいは，図６において選択された変換候補文字列を入力確定文字列として，図５の処理を繰り返す。
　【００３２】
　上述した実施形態により，使用時の気分に応じた文体の候補文字列を優先的に配置し，より少ない操作で適切な候補文字列を選択することが可能となり，文字入力時の利便性を向上させることが出来る。
　例えば，業務用途で使用している場合よりも，個人用途で使用している場合のほうが「笑い」や「怒り」などの表情が現われやすく，これを利用して業務用途の辞書と個人用途の辞書とを選択するようにすることができる。
　【００３３】
　上述したように，
本実施形態によれば，文字入力時における変換候補文字列や次入力候補文字列を使用者の状況に応じて切り替える
　
具体的には，メール作成等の文字入力モードの起動時に，携帯電話装置に具備されたカメラを用いて使用者の表情を撮像して表情を検出し，表情毎に異なる変換候補テーブルを選択することで，優先表示する変換候補文字列，あるいは，次入力候補文字列の配置を変え，より少ないキー操作で使用者が望む候補文字列を選択することが可能となる
　段落００２１の「
文字入力時の表情が「笑い」であれば
同様に「怒り」であれば
文字入力時の表情が「笑い」であれば
文字入力時の表情が「怒り」であれば
　しかし，請求人が補正の根拠として挙げた図５および図６ならびに段落００３１について，図５およびその説明である段落００２０〜００２４は，「入力確定文字列に対応して次入力候補文字列を表示する場合の例」（段落００２０）を示し，図６およびその説明である段落００２５〜００３０は，「未確定文字列に対応して変換候補文字列を表示する場合の例」（段落００２５）を示しており，段落００３１には「
変換候補選択部１７
　つまり，図５および図６の処理は，「変換候補選択部１７」が実行する候補選択処理であるといえる。
　そして，「変換候補選択部１７」が実行する候補選択処理について，段落００１３には「
変換候補選択部１７は，表情記憶部１６から読み出した表情の判定結果に従って変換候補テーブル８を選択し
文字入力を行うと
表情記憶部１６に書き込まれているパラメータ“表情”を取得し
　つまり，「文字入力時の表情」は，「表情記憶部１６に書き込まれているパラメータ“表情”を取得し」たものであり，「表情記憶部１６に書き込まれているパラメータ“表情”」は，段落００１７に「使用者が，図２に示す携帯電話装置１のキー入力部２により，メール作成やメモ作成などのアプリケーションの起動指示を入力すると，文字入力モードへの遷移が行われる。するとまず，制御部１３は，カメラ部３を起動し，使用者の顔の撮影を指示する。カメラ部３は，使用者の顔を撮影すると，撮影された画像データを判定部１５に出力する（ステップＳ１１０）。判定部１５は，受信した画像データから使用者の表情を判定し（ステップＳ１２０），判定した表情を表すパラメータ“表情”を表情記憶部１６に書き込む（ステップＳ１３０）。」と記載されているように，文字入力モードへの遷移の際に，表情記憶部１６に書き込まれたものであるといえる。
　そして，「撮像部」が「該入力文字列が，未確定文字列から前記候補文字列より選択され，入力確定文字列となったタイミングで使用者の顔を撮像し」たり，「次入力候補の文字列である前記候補文字列より選択され，次入力文字列として確定されたタイミングで使用者の顔を撮像する」ことについて，本願の願書に最初に添付した明細書，特許請求の範囲または図面（以下，「当初明細書等」という。）の他の記載箇所を見ても，該当する記載は見当たらない。
　
　したがって，「撮像部」が「該入力文字列が，未確定文字列から前記候補文字列より選択され，入力確定文字列となったタイミングで使用者の顔を撮像し」たり，「次入力候補の文字列である前記候補文字列より選択され，次入力文字列として確定されたタイミングで使用者の顔を撮像する」ことについては，当初明細書等に何ら記載も示唆もされておらず，また，当初明細書等から当業者が自明に導き出せるものでもない。
　よって，この補正は，当初明細書等のすべての記載事項を総合することにより導かれる技術的事項との関係において，新たな技術的事項を導入するものであり，本件補正は，当初明細書等に記載した事項の範囲内においてしたものではないから，特許法第１７条の２第３項の規定に適合しない。
３．むすび
　したがって，本件補正は，当初明細書等に記載した事項の範囲内においてしたものではないから，特許法第１７条の２第３項の規定に違反するので同法第１５９条第１項において読み替えて準用する同法第５３条第１項の規定により却下すべきものである。
第３ 本願発明の特許要件についての検討
１．本願発明
　平成２８年３月１５日にされた手続補正による補正は上記のとおり却下されたので，本願の請求項１に係る発明（以下，「本願発明」という。）は，本願の出願時の特許請求の範囲の請求項１に記載された事項により特定される，上記第２　１（２）に前述した以下のとおりのものである。
「【請求項１】
　入力文字列に対応した候補文字列のリストを表す変換候補テーブルを表情毎に記憶する記憶部と，
　使用者の表情を判定する判定部と，
　前記記憶部から前記判定部による表情の判定結果に対応した前記変換候補テーブルを選択し，選択した前記変換候補テーブルから入力文字列に対応した候補文字列のリストを取得して表示させる変換候補選択部と，
　を備えることを特徴とする入力支援装置。」
２．引用例
（１）　引用例１
　原査定の拒絶の理由に引用文献１として引用された特開２００４−１９９５５０号公報（以下，「引用例１」という。）には，図面とともに，以下の事項が記載されている。（下線は当審で付加した。）
ア「【００１０】
本発明の他の目的は，
テキストメッセージの書き手が自分の感情等をテイストとしてメッセージに反映させることができる端末装置
イ「【００１７】
前記端末装置は，予め定められた複数のテイストに対応した複数の予測変換辞書と，ユーザの指示に従って，これらの複数の予測変換辞書のうちの一つを選択する手段とをさらに備えてもよい。この場合，前記テイストの選択は前記予測変換辞書の選択により行われることになる。」
ウ「【００２９】
【発明の実施の形態】
以下，本発明の実施の形態について，図面を参照して詳細に説明する。
【００３０】
図１に本発明が適用されるシステムの概略構成を示す。ここでは，
テキストメッセージ
の一例として，電子メール
【００３１】
図１（ａ）に示すシステムでは，送信側端末から，表示属性情報を含んだテキストメッセージとしての所定のフォーマット（ここではＸＭＬ）のメッセージ２４０ａが，サーバ４００に送られる。このサーバ４００は，メッセージ２４０ａと同じ，または，表示属性情報が追加もしくは変更されたメッセージとしてのＸＭＬ文書２４０ｂを受信側端末へ送信する。
端末の種類としては，携帯電話機，携帯情報端末（ＰＤＡ）等のような携帯型端末
等を含み
エ「【００３５】
この端末１００は，電話および通信機能に関連した部位として，アンテナ２００，デュプレクサ（アンテナ共用器）３０１，受信部（ＲＸ）３０２，送信部（ＴＸ）３０３，デジタル信号処理部ＤＳＰ(Digital Signal Processor）３０４，スピーカ３０５，マイク３０６，イヤレシーバ３０７を含む。端末１００は，さらに，この端末の制御に関連した部位として，制御部３０８，表示部３０９，入力操作部３１１，ＲＯＭ３１３，ＲＡＭ３１４等を有する。制御部３０８は中央処理装置（ＣＰＵ）などから構成される。入力操作部３１１は端末の各種キーやボタン，ジョグダイヤル等に相当する。ＲＯＭ３１３には本実施の形態の後述する動作を実現するための制御プログラムが格納されている。ＲＯＭ３１３は，フラッシュＲＯＭのような再書き込み可能なメモリを含んでもよい。本実施の形態における
辞書データ
等はＲＯＭ
および／またはＲＡＭ
に格納され
オ　「【００４５】
図６により，図１の端末１００に採用された予測変換手法の具体例について説明する。今，図６（ａ）に示すように，ユーザが，端末１００の表示画面上のメール本文入力領域２１に，
端末の入力操作部（テンキー）から文字「て」を入力した
この入力文字に該当する語句群が選択候補として選択候補表示欄２３にリスト表示される。この選択候補の語句群は，複数の辞書の検索結果として抽出されたものである
カ　「【００５０】
図７は，
テイスト選択画面
では，メニュー形式で，
怒りモード，ハッピーモード
等の各種テイストを選択できるようになっている
これによって，使用されるオプションの予測変換辞書も変わる
【００５１】
図８に，予測変換辞書の構成例を示す。予測変換辞書９０としては，オプションのテイストに関係なく共通に適用される共通辞書９１と，オプションで適用される辞書９２，９３，…がある。オプション辞書は通信ネットワークを介してサーバからダウンロードして追加することができる。テイストに関するオプション辞書は，図７で説明したようなユーザによるテイストの選択に応じて選択される。
テイスト別の予測変換辞書の選択により，予測変換時には当該テイストに合致した語句が選択候補表示欄
に表示されやすくなる
キ　「【００６０】
図１３に，本実施の形態における送信側端末でのメール作成・送信処理のフローチャートを示す。ユーザは，前述したように，
メールの作成に先立って，モード（テイスト）の選択を行う
ク　以上のア〜キの記載および関連する図面を参照すると，引用例１には以下の事項を含む発明（以下「引用例１発明」という。）が開示されていると認められる。
「テキストメッセージの書き手が自分の感情等をテイストとしてメッセージに反映させることができる端末装置であって，
前記テキストメッセージは電子メールであり，
端末は，携帯電話機，携帯情報端末（ＰＤＡ）等のような携帯型端末であり，
予測変換辞書などの辞書データ等はＲＯＭおよび／またはＲＡＭに格納されており，
前記端末の入力操作部（テンキー）から文字を入力した際に，この入力文字に該当する語句群が選択候補として選択候補表示欄にリスト表示され，この選択候補の語句群は，複数の辞書の検索結果として抽出されたものであり，
テイスト選択画面では，メニュー形式で，怒りモード，ハッピーモード等の各種テイストを選択できるようになっており，これによって，使用されるオプションの予測変換辞書も変わり，
テイスト別の予測変換辞書の選択により，予測変換時には当該テイストに合致した語句が選択候補表示欄に表示されやすくなる
端末装置。」
（２）引用例２
　原査定の拒絶の理由に引用文献２として引用された特開２００９−２５３９３１号公報（以下，「引用例２」という。）には，図面とともに，以下の事項が記載されている。（下線は当審で付加した。）
ア　「【技術分野】
【０００１】
　本発明は，
メール作成機能付き携帯端末
【背景技術】
【０００２】
　たとえば，携帯電話機等のメール作成機能付き携帯端末は，テキストデータ等のメールデータ（文章データ）を任意に編集（作成）できるので，電子データの編集（作成）機能を備えた電子データ編集装置の一例である。以下，このメール作成機能付き携帯端末を「携帯電話機」とすると，この携帯電話機で作成可能なメールは，テキスト文字主体のメールまたは絵文字混在のメールであり，前者の無味乾燥なテキストメールに対して，絵文字混在メールは様々な絵文字（予め用意されたハートマークなどの多種多様なグラフィック記号のこと）を使用することができ，文字だけでは伝わりにくい感情を込めることができる。
【０００３】
　しかし，絵文字混在メールは，いちいちリストから適当な絵文字を選択して，その絵文字をメール中に挿入しなければならず，この作業を手動で行うことから，面倒を否めなかった。
【０００４】
　そこで，メールの作成時に，ユーザの声をマイクで拾って感情を判断し，その感情から特定された絵文字を自動挿入するという技術が知られている（たとえば，特許文献１参照。）。
【０００５】
【特許文献１】特開２００６−２７７５６７号公報
【発明の開示】
【発明が解決しようとする課題】
【０００６】
　しかしながら，上記の従来技術にあっては，絵文字などのように，手入力に時間がかかるデータを電子メールなどの編集データ（電子データ）中に自動挿入することが可能であるが，感情の判断に一定量の音声データが必要で，音声データの収集から感情判断までに相応の時間を要するため，感情を速やかに判断できず，電子データを編集する際の操作性を悪くするという問題点がある。
　また，携帯電話機で絵文字を入力する場合に限らず，デジタルカメラで撮影した画像データにユーザが任意に入力した文字列からなる名称を付加するような場合にも操作性の問題点がある。つまり，通常のデジタルカメラでは，パーソナルコンピュータのような入力し易いキーボードや高度な入力支援機能を備えておらず，カーソルキーなどにより文字を入力する必要があるので，絵文字に限らず，文章そのものを入力するのも面倒であった。
【０００７】
　そこで，本発明の目的は，手入力に時間のかかるデータを編集中の電子データに挿入する際の編集効率を向上させることのできる電子データ編集装置，電子データ編集方法及びプログラムを提供することにある。」
イ　「【発明を実施するための最良の形態】
【００１０】
　以下，本発明の
実施形態をカメラ付き携帯電話機
【００１１】
　まず，本実施形態における用語の定義を行う。メール又はメールデータとは，テキストデータ等の文字主体のものを指すことはもちろんのこと，文字情報に加えて書式情報等の付加情報や文字以外の任意情報（画像情報等）を含むものも指す。これは，たとえば，携帯電話機では一般的にテキストメールが多用されているものの，一部の携帯電話機やパーソナルコンピュータでは，文字修飾や画像等の埋め込みが可能な非テキストメール（ＨＴＭＬ形式などの電子データ）の編集や作成ができるようになっているからである。また，本実施形態における「編集」又は「編集処理」とは，すでに作成済みの電子データ（上記のメールデータ等）に加筆修正を加えることを意味する他，新規に電子データを作成することも意味する。また，「挿入データ」とは，編集対象の電子データに挿入又は合成されるデータのことをいい，たとえば，編集対象の電子データが「画像データ」である場合は，画像合成などによって挿入が可能な画像データであり，あるいは，編集対象の電子データがテキストデータ等の文章データである場合は，その文章データの指定位置に追加挿入が可能な文章データ（たとえば，テキストデータ）である。ただし，これらは説明のための一例に過ぎず，編集対象の電子データに挿入可能な形態のデータであれば，如何なるものであっても構わない。
【００１２】
　図１は，カメラ付き携帯電話機のブロック図である。この図において，カメラ付き携帯電話機（以下，単に「携帯電話機」という。）１は，アンテナ２を介して最寄りの携帯電話基地局（不図示）との間で音声通信または
メールを含むデータ通信を行う通信部３と，被写体を静止画撮影またはスルー画像撮影してその画像データを生成するＣＣＤやＣＭＯＳ等の撮像デバイスを含む撮像部４と，電話番号／文字入力兼用のテンキー，オンフックキー，オフフックキー，シャッタキー，カーソルキー及び各種の機能キーを含む操作部５と，
撮像画像の確認・再生表示及びメールの作成や閲覧に用いられる液晶ディスプレイ等からなる表示部６と，
与えられた画像データの中から人物の顔を抽出し，その顔の表情（笑い顔，泣き顔，怒った顔，無表情・・・・等）を判定して，その判定結果を示す感情データを発生する感情判定部１３と，
を有する
【００１３】
　図２は，感情判定部１３の概念構成図である。この図において，感情判定部１３は，前記のとおり，「与えられた画像データの中から人物の顔を抽出し，その顔の表情（笑い顔，泣き顔，怒った顔，無表情・・・・等）を判定して，その判定結果を示す感情データを発生する」という機能を有している。ここで，“感情”とは，正確には人間の心理状態のことをいうが，実際上，心理状態の把握は不可能または困難であるので，ここでは，心理状態と一定の相関がある「顔の表情」を感情と定義する。つまり，「感情＝顔の表情」であるとする。」
ウ　「【００１６】
　感情判定部１３は，
与えられた画像データ
は撮像部４で撮像された静止画像またはスルー画像であってもよい
エ　「【００２４】
　図３は，メール作成及び送信処理のフローを示す図である。このフローは，制御部１４のＰＲＯＭ１４ｂに予め格納されている制御プログラムの一部であり，ユーザイベント（ユーザによるメール作成や送信の操作イベント）に応答して制御部１４のＲＡＭ１４ｃに読み出され，制御部１４のＣＰＵ１４ａによって実行されるものである。
【００２５】
　このフローは，フロー開始直後に実行されるテキスト編集ブロックＢ１と，その後に続けて実行される感情マーク挿入ブロックＢ２とに大別することができる。まず，テキスト
編集ブロックＢ１では，メール件名用のテキストデータが入力されたか否かを判定し（ステップＳ１），入力されていれば，メール件名の指定位置（カーソル位置）に，そのテキストデータを挿入する（ステップＳ２）。次いで，メール本文用のテキストデータが入力されたか否かを判定し（ステップＳ３），入力されていれば，メール本文の指定位置（カーソル位置）に，そのテキストデータを挿入する（ステップＳ４）。
【００２６】
　次に，感情マーク挿入ブロックＢ２では，まず，メール添付用の画像データの有無を判定する（ステップＳ５）。ここで，メール添付用の画像データは，メール作成中に撮像部４で撮像した自分自身の顔写真（静止画像）であることを典型とするが，これ以外のもの，たとえば，記憶部９に記憶されている過去に撮影された顔写真であってもよい。要は，感情を抽出するための適当な顔写真であればよい。また，他の人物の顔写真であってもよい。
【００２７】
　メール添付用の画像データなしの場合は，この感情マーク挿入ブロックＢ２から抜けてメール作成完了（ユーザによるメール編集の完了操作）を判定し（ステップＳ１３），完了していなければ，再びテキスト編集ブロックＢ１を実行し，完了していれば，メールを送信（ステップＳ１４）した後，フローを終了する。
【００２８】
　一方，メール添付用の画像データありの場合は，その画像データを感情判定部１３に送り，この感情判定部１３によって顔を検出し（ステップＳ６），顔が検出されなかった場合（ステップＳ７のＮＯ）は，感情マーク挿入ブロックＢ２から抜けてメール作成完了（ユーザによるメール編集の完了操作）を判定し（ステップＳ１３），完了していなければ，再びテキスト編集ブロックＢ１を実行し，完了していれば，メールを送信（ステップＳ１４）した後，フローを終了する。
【００２９】
　他方，顔が検出された場合（ステップＳ７のＹＥＳ）は，顔の表情を認識して感情を判定し（ステップＳ８），次いで，感情マークの自動合成モードが選択されているか否かを判定する（ステップＳ９）。感情マークの自動合成モードとは，予めユーザによって選択されるモードであって，このモードが選択されている場合に，メールに添付する画像データへの感情マークの自動合成を許容するというモードである。
【００３０】
　感情マークの自動合成モードが選択されている場合，判定された感情に対応する感情マークを生成して添付画像内の指定位置に合成し（ステップＳ１０），次いで，感情文字の自動挿入モードが選択されているか否かを判定する（ステップＳ１１）。感情文字の自動挿入モードとは，予めユーザによって選択されるモードであって，このモードが選択されている場合に，メール件名やメール本文中への感情文字の自動挿入を許容するというモードである。
【００３１】
　感情文字の自動挿入モードが選択されている場合，判定された感情に対応する絵文字を生成してメールの件名または本文の指定位置（カーソル位置）に合成する（ステップＳ１２）。なお，感情マークの自動合成モードが選択されていない場合はステップＳ１０をパスし，また，感情文字の自動挿入モードが選択されていない場合はステップＳ１２をパスする。
【００３２】
　図４は，感情マークの自動合成モードと感情文字の自動挿入モードとを示す概念図である。（ａ）に示すように，感情マークの自動合成モードでは，対象となる画像データ２１（メールに添付する画像データ）の所定位置（たとえば，点線で示すコーナ部分のいずれか）に感情マーク２２を合成する。また，（ｂ）に示すように，感情文字の自動挿入モードでは，メール２３の件名または本文の指定位置（カーソル位置）に顔文字（または顔絵文字）２４，２５を挿入する。
【００３３】
　このように，本実施形態によれば，
メール作成中に撮像部４を用いて自分の顔を静止画撮影するだけで，そのときの自分の感情に対応した顔文字（または顔絵文字）２４，２５をメール２３の件名や本文に自動挿入することができる
オ　以上のア〜エの記載によれば，引用例２には以下の事項を含む発明（以下「引用例２発明」という。）が開示されていると認められる。
「メール作成機能付き携帯端末であって，
前記携帯端末は，カメラ付き携帯電話機であり，
メールを含むデータ通信を行う通信部と，
被写体を静止画撮影またはスルー画像撮影してその画像データを生成するＣＣＤやＣＭＯＳ等の撮像デバイスを含む撮像部と，
電話番号／文字入力兼用のテンキー，オンフックキー，オフフックキー，シャッタキー，カーソルキー及び各種の機能キーを含む操作部と，
撮像画像の確認・再生表示及びメールの作成や閲覧に用いられる液晶ディスプレイ等からなる表示部と，
与えられた画像データの中から人物の顔を抽出し，その顔の表情（笑い顔，泣き顔，怒った顔，無表情・・・・等）を判定して，その判定結果を示す感情データを発生する感情判定部と，
を有しており，
前記与えられた画像データは撮像部で撮像された静止画像またはスルー画像であってもよく，
メール作成中に撮像部を用いて自分の顔を静止画撮影するだけで，そのときの自分の感情に対応した顔文字（または顔絵文字）をメールの件名や本文に自動挿入することができる
メール作成機能付き携帯端末。」
２．対比
（１）そこで，本願発明と引用例１発明とを対比する。
ア　引用例１発明は，「電子メール」のような「テキストメッセージを送受信」できる「携帯電話機」の分野に属し，「テキストメッセージの書き手が自分の感情等をテイストとしてメッセージに反映させることができる」よう，「テイスト別の予測変換辞書の選択により，予測変換時には当該テイストに合致した語句が選択候補表示欄２３に表示されやすくなる」（段落００５１）という課題を有している。
　一方，本願発明は，「メール作成等の文字入力」（段落００１５）「を行う入力支援装置」（段落０００１）「として用いられる携帯電話装置」（段落００１４）の技術分野に属し，「使用者の状況応じて，未確定文字列や確定入力文字列に対応して提示する候補文字列を変更し，使用者が望む候補文字列をより少ないキー操作により選択可能な入力支援装置（中略）を提供すること」（段落０００７）を課題としており，「使用者の状況」を使用者の表情「笑い」「怒り」などで判定している（段落００１７−００１８）。
　ここで，引用例１発明の技術分野および課題における「携帯電話機」，「電子メール」，「テキストメッセージの書き手」は，それぞれ，本願発明の技術分野および課題における「携帯電話装置」，「メール」，「使用者」に相当している。
　また，引用例１発明の技術分野および課題における「テキストメッセージの書き手」の「感情」と，本願発明の技術分野および課題における使用者の表情「笑い」「怒り」などで判定される「使用者の状況」とは，「使用者の感情」である点で共通しており，互い対応しているといえる。
　さらに，引用例１発明の課題における「感情等」の「テイストに合致した語句が選択候補表示欄に表示されやすくなる」と，本願発明の課題における「使用者の状況応じて，未確定文字列や確定入力文字列に対応して提示する候補文字列を変更し，使用者が望む候補文字列をより少ないキー操作により選択可能」とは，使用者の感情に応じて，使用者が望む候補文字列をより少ないキー操作により選択可能とする点で共通しており，互い対応しているといえる。
　したがって，引用例１発明と本願発明とは，メール作成等の文字入力を行う携帯電話装置という技術分野で共通し，さらに，使用者の感情に応じて，使用者が望む候補文字列をより少ないキー操作により選択可能とするという課題で共通しているといえる。
イ　引用例１発明において，「入力文字に該当する語句群が選択候補として選択候補表示欄にリスト表示され，この選択候補の語句群は，複数の辞書の検索結果として抽出されたものであ」り，この「複数の辞書」は「予め定められた複数のテイストに対応した複数の予測変換辞書」であって，「辞書データ等はＲＯＭおよび／またはＲＡＭに格納されており，」「各種テイスト」には，「怒りモード，ハッピーモード」等の感情に対応するものが含まれている。
　ここで，引用例１発明の「入力文字」，「選択候補の語句群」，「ＲＯＭおよび／またはＲＡＭ」は，それぞれ，本願発明の「入力文字列」，「候補文字列のリスト」，「記憶部」に相当している。
　そして，「表情」は，「感情」が表に現れたものであり，引用例１発明の「テイスト」と，本願発明の「表情」とは，感情に対応するものである点で共通しており，引用例１発明の「複数のテイストに対応した複数の予測変換辞書」が「格納された」「ＲＯＭおよび／またはＲＡＭ」と，本願発明の「表情毎に記憶」された「変換候補テーブルを表情毎に記憶する記憶部」とは，変換候補群を感情に対応して記憶する記憶手段である点で共通しているといえる。
　したがって，引用例１発明と，本願発明とは，入力文字列に対応した候補文字列のリストを表す変換候補群を感情に対応して記憶する記憶手段を備えている点で共通しているといえる。
　しかし，本願発明では，変換候補群を変換候補テーブルとして記憶しているのに対し，引用例１発明では，変換候補群をどのような格納形態で記憶しているのか不明である点で相違している。
ウ　引用例１発明では，「テイスト選択画面では，メニュー形式で，怒りモード，ハッピーモード等の各種テイストを選択できるようになっており，これによって，使用されるオプションの予測変換辞書も変わり，テイスト別の予測変換辞書の選択により，予測変換時には当該テイストに合致した語句が選択候補表示欄に表示されやすくなる」。
　ここで，引用例１発明の「選択」された「各種テイスト」によって「複数の予測変換辞書のうちの一つを選択」することと，本願発明の「記憶部から」「表情の判定結果に対応した」「変換候補テーブルを選択」することとは，感情に対応した変換候補群を選択する手段を備えている点で共通しているといえる。
　しかし，本願発明では，変換候補群を選択する際に，判定部による表情の判定結果に対応した前記変換候補群を選択しているのに対し，引用例１発明では，感情を選択させることで対応する変換候補群を選択している点で相違している。
エ　引用例１発明は，「入力文字に該当する語句群が選択候補として選択候補表示欄２３にリスト表示され，この選択候補の語句群は，複数の辞書の検索結果として抽出されたものであり，」複数の辞書は「複数のテイストに対応した複数の予測変換辞書」であり，「ユーザの指示に従って，これらの複数の予測変換辞書のうちの一つを選択」している。
　ここで，引用例１発明の「入力文字」，「選択候補の語句群」，「抽出」，「リスト表示」は，それぞれ，本願発明の「入力文字列」，「候補文字列のリスト」，「取得」，「表示」に相当している。
　そして，引用例１発明の「選択」された「予測変換辞書」と，本願発明の「選択した前記変換候補テーブル」とは，選択された変換候補群である点で共通しているといえる。
　したがって，引用例１発明と，本願発明とは，選択された変換候補群から入力文字列に対応した候補文字列のリストを取得して表示させる手段を備えている点で共通しているといえる。
オ　引用例１発明は，「ユーザによるテイストの選択に応じて選択され，テイスト別の予測変換辞書の選択により，予測変換時には当該テイストに合致した語句が選択候補表示欄に表示されやすくなる」。
　ここで，予測変換辞書は，一般に，入力済みの文字列を単に仮名漢字変換等したものではなく，今後入力される可能性のある文字列を予測して変換候補として出力するための変換辞書である。
　よって，引用例１発明も，入力済みの文字列に基づいて，今後入力される可能性のある文字列を予測して変換候補として出力することにより，文字入力を支援しているといえる。
　したがって，引用例１発明の端末装置も，本願発明と同様に，文字入力を支援している入力支援装置であるといえる。
（２）一致点，相違点
　　上記（１）ア〜オによると，両者は，以下の点で一致し，また，相違している。
［一致点］
「入力文字列に対応した候補文字列のリストを表す変換候補群を感情に対応して記憶する記憶手段と，
　感情に対応した変換候補群を選択する手段と，
　選択された変換候補群から入力文字列に対応した候補文字列のリストを取得して表示させる手段と，
　を備える入力支援装置。」
［相違点１］
　本願発明では，変換候補群を変換候補テーブルとして記憶しているのに対し，引用例１発明では，変換候補群をどのような格納形態で記憶しているのか不明である点。
［相違点２］
　本願発明では，使用者の表情を判定する判定部を備えているのに対し，引用例１発明では，このような構成を備えていない点。
［相違点３］
　本願発明では，変換候補群を選択する際に，判定部による表情の判定結果に対応した前記変換候補群を選択しているのに対し，引用例１発明では，感情に対応するテイストを選択させることで対応する変換候補群を選択している点。
３．判断
［相違点１について］
　携帯電話装置における文字入力の技術分野において，予測変換辞書で変換候補群をテーブル形態で格納することは，本願出願前に周知の技術にすぎない。
　したがって，引用例１発明においても，変換候補群を格納する際に，当該周知技術を採用して，本願発明と同様に，変換候補テーブルの形態で格納するよう構成することは，本願の出願日前に当業者が容易に想到し得たものである。
［相違点２および３について］
　引用例２発明は，引用例１発明と同じ，携帯電話機等のメール作成機能付き携帯端末の技術分野に属し，感情を反映させたテキストを作成するという共通の課題を有している。
　そして，引用例２発明は，「カメラ付き携帯電話機であり，」「被写体を静止画撮影またはスルー画像撮影してその画像データを生成するＣＣＤやＣＭＯＳ等の撮像デバイスを含む撮像部と，」「与えられた画像データの中から人物の顔を抽出し，その顔の表情（笑い顔，泣き顔，怒った顔，無表情・・・・等）を判定して，その判定結果を示す感情データを発生する感情判定部と，を有しており，前記与えられた画像データは撮像部で撮像された静止画像またはスルー画像であってもよく，メール作成中に撮像部を用いて自分の顔を静止画撮影するだけで，そのときの自分の感情に対応した顔文字（または顔絵文字）をメールの件名や本文に自動挿入することができる」携帯端末である。
　また，操作の手間を省くために手動で行っていた操作を自動化することは周知の課題である。
　したがって，引用例１発明において，当該周知の課題を解決するために，変換候補群を選択する際に，感情に応じたテイストを選択させて感情に対応した変換候補群を選択する構成に代えて，引用例２発明に開示された，自分の顔を静止画撮影し，撮影された顔の表情を判定して，その判定結果を示す感情データを発生する感情判定部を備える構成を採用して，本願発明と同様に，使用者の表情を判定する判定部を備え，記憶部から前記判定部による表情の判定結果に対応して変換候補群を選択する構成とすることは，本願の出願日前に当業者が容易に想到し得たものである。
　また，本願発明の効果についてみても，上記構成の採用に伴って，当然に予測される程度のものに過ぎず，格別顕著なものがあるとは認められない。
　したがって，本願発明は，引用例１および引用例２に記載された発明に基づいて，当業者が容易に発明をすることができたものである。
第４ むすび
　以上のとおり，本願発明は，引用例１および引用例２に記載された発明に基づいて，当業者が容易に発明をすることができたものであるから，特許法第２９条第２項の規定により特許を受けることができない。
　したがって，その余の請求項に係る発明について論及するまでもなく，本願は拒絶すべきものである。
　よって，結論のとおり審決する。